【手続補正書】
【提出日】平成18年1月19日(2006.1.19)
【手続補正１】
【補正対象書類名】明細書
【補正対象項目名】請求項３７
【補正方法】変更
【補正の内容】
【請求項３７】  請求項１〜１０、１４〜３６の何れか一項に記載のモータ（１０；１０’）はファン（７３；３４０）を駆動するモータであり、又は請求項１１〜１３の何れか一項に記載の方法により制御されるモータ（１０；１０’）はファン（７３；３４０）を駆動するモータであることを特徴とする構成体。
【手続補正２】
【補正対象書類名】明細書
【補正対象項目名】請求項３８
【補正方法】変更
【補正の内容】
【請求項３８】  前記ファンは機器ファン（３４０Ａ，３４０Ｂ，３４０Ｃ）である、請求項３７記載の構成体。
【手続補正３】
【補正対象書類名】明細書
【補正対象項目名】０００５
【補正方法】変更
【補正の内容】
【０００５】
本発明によればこの課題は請求項１の対象によって解決される。即ち、本発明の第１の視点により、電気モータを備える構成体が提供される。この構成体において、マイクロコントローラまたはマイクロプロセッサ（以下単にマイクロプロセッサと称する）を、少なくとも１つのモータ機能を制御するために有し、マイクロプロセッサの出力端子はプログラム制御して、ハイレベルまたはローレベルに切り換え可能であり、前記出力端子には抵抗を介して、第１の分圧器のタップが接続されており、これにより当該分圧器タップの電位は、前記レベルの変化によりプログラム制御して少なくとも２つの値間で切り換えることができ、前記電位によってモータの特性量を制御することを特徴とする（形態１・基本構成１）。プログラム制御により起動（立上り）を緩慢に（いわゆるソフトスタート）、またはできるだけ短時間で行うことができる。このことは、起動時間の間に電流制御のための投入点（開始点）を引き上げることにより行う。これにより起動中にモータ電流を後続の通常動作時よりも高めることができる。
【手続補正４】
【補正対象書類名】明細書
【補正対象項目名】０００６
【補正方法】変更
【補正の内容】
【０００６】
有利な方法は請求項１１の対象である。即ち、本発明の第２の視点において、電気モータの始動制御方法であって、該電気モータにはマイクロコントローラまたはマイクロプロセッサ（以下マイクロプロセッサと称する）と、不揮発性記憶素子と、データバスと、モータ電流を制限するための装置とが配属されている方法が提供される。この方法は、データバスを介して不揮発性記憶素子に起動時間を記憶するステップと；モータの投入接続後、前記起動時間を監視するステップと；該起動時間中プログラム制御して、モータ電流を制限するための装置の電流限界値を第１の値に調整するステップと；前記起動時間の経過したことが検出された場合、プログラム制御して電流限界値を、前記第１の値とは異なる第２の値に切り換えるステップとを有することを特徴とする（形態１１・基本構成２）。この方法は非常にフレキシブルにユーザの必要性に適応することができる。なぜなら、限界値をプログラム制御して調整することができるからである。
【手続補正５】
【補正対象書類名】明細書
【補正対象項目名】０００７
【補正方法】変更
【補正の内容】
【０００７】
前記課題の別の解決手段は請求項２３の対象である。即ち、本発明の第３の視点において、とりわけファンを駆動するための電気モータを備える構成体が提供される。この構成体において、マイクロコントローラまたはマイクロプロセッサ（以下マイクロプロセッサと称する）を少なくとも１つのモータ機能を制御するために有し、該マイクロプロセッサには揮発性記憶素子と不揮発性記憶素子とが配属されており、当該両方の記憶素子は、少なくとも１つのオブジェクトを前記モータ機能に対する予設定として記憶するよう構成されており、さらに電気モータに配属されたインターフェースを有し、該インターフェースは、前記少なくとも１つのオブジェクトを記憶素子へ、および／またはこれから伝送するためのデータ線路に対するものであり、マイクロプロセッサに配属され、記憶されたリストを有し、該リストは、データ線路を介して伝送可能なオブジェクトについての所定のパラメータを、当該オブジェクトの伝送のために含んでいることを特徴とする（形態２３・基本構成３）。このようにして簡単に、電気モータを有するこのような装置をユーザの必要性に適応することができる。このことは所望の値を、インターフェースを介して装置の不揮発性メモリに記憶する（またはこのメモリ素子から読み出す）ことにより行う。このことは基本的に全てのモータ値、例えば回転数、電流限界値、温度、起動時間、定常状態での回転トルク、動作時間数等に当てはまる。記憶過程は工場で行うことができるが、後の時点でモータを顧客の必要性に適応するため行うこともできる。特に有利にはこれはファンを駆動するモータの場合である。なぜならこのようなファンではユーザの必要性が大きく異なる場合があり、このようなファン装置を非常に簡単に使用者の必要性に対して最適化することができるからである。これについては例えば図２２に示されている。
【手続補正６】
【補正対象書類名】明細書
【補正対象項目名】０００８
【補正方法】変更
【補正の内容】
【０００８】
本発明のさらなる詳細および有利な改善形態は、以下の説明および図面に示され、決して本発明の限定として理解すべきではない実施例、並びにその他の従属請求項から明らかとなる。即ち、本発明の実施形態をまとめると以下のとおりとなる：
（形態１）上掲。
（形態２）上記形態１の構成体において、前記特性量は、電気モータのモータ電流を制限するための電流限界値であることが好ましい。
（形態３）上記形態１又は２の構成体において、前記抵抗は高抵抗に構成されていることが好ましい。
（形態４）上記形態３の構成体において、前記抵抗の値は５０ｋΩ以上であることが好ましい。
（形態５）上記形態１〜４の構成体において、マイクロプロセッサの前記出力端子はプログラム制御して、第３の高抵抗状態に切り換え可能であることが好ましい。
（形態６）上記形態１〜５の構成体において、前記第１の分圧器の分岐路に並列に、（第２）タップを備えた第２の分圧器が設けられており、後者の（第２）タップの電位がモータの特性量を制御することが好ましい。
（形態７）上記形態６の構成体において、前記第２の分圧器は、並列に接続された第１の分圧器の分岐路と比較して、比較的に高い抵抗を有していることが好ましい。
（形態８）上記形態６又は７の構成体において、第２の分圧器の分圧比は、該第２分圧器の（第２）タップの電位を比較電位として使用する場合、比較的低い値が該比較電位に対して得られるように選定されていることが好ましい。
（形態９）上記形態６〜８の構成体において、第２の分圧器の（第２）タップの電位は、電気モータのモータ電流を制限するための電流限界値を設定することが好ましい。
（形態１０）上記形態２又は９の構成体において、不揮発性記憶素子を有し、該不揮発性記憶素子は、少なくとも１つの時間値を記憶するために用いられ、該時間値の経過後、プログラム制御してマイクロプロセッサの前記出力端子の切り換えが行われることが好ましい。
（形態１１）上掲。
（形態１２）上記形態１１の方法において、第２の電流限界値は第１の電流限界値より小さいことが好ましい。
（形態１３）上記形態１１又は１２の方法において、起動時間の経過後、所定の時間間隔を越える時間間隔の間、モータの電流限界値が作用しているか否かを監視し、作用している場合には、電流限界値をプログラム制御して第３の値に切り換えることが好ましい。
（形態１４）上記形態１１〜１３の方法を実施するための構成体において、マイクロプロセッサは、電流限界値をプログラム制御して切り換えるために少なくとも１つの出力端子を有し、該出力端子は少なくとも高信号レベルと低信号レベルとの間で切り換え可能であり、これにより電流限界値を制御し、前記信号レベルは、モータの起動時にプログラム制御して変更可能であることが好ましい。
（形態１５）上記形態１４の構成体において、少なくとも１つの出力端子は高抵抗状態、いわゆるトリステート状態へ切り換え可能であることが好ましい。
（形態１６）上記形態１４又は１５の構成体において、電流限界値を切り換えるために用いる出力端子は抵抗を介して第１の分圧器の（第１）タップと接続されており、該（第１）タップの電位を、モータ電流の流れる測定抵抗での電圧と比較するために使用し、該電圧が当該電位に対して所定の関係に達するとき、前記モータ電流を遮断することが好ましい。
（形態１７）上記形態１６の構成体において、第１の分圧器の分岐路に並列に、タップを備える第２の分圧器が設けられており、後者のタップの電位は、モータ電流の流れる測定抵抗での電圧と比較するために用いられ、該電圧が当該電位に対して所定の関係に達するとき、モータ電流が遮断されることが好ましい。
（形態１８）上記形態１７の構成体において、モータ電流の流れる測定抵抗での電圧と比較するためにコンパレータが設けられていることが好ましい。
（形態１９）上記形態１８の構成体において、第２の分圧器は、並列に接続された第１の分圧器の分岐路と比較して比較的に高い抵抗を有することが好ましい。
（形態２０）上記形態１７〜１９の構成体において、第２の分圧器の分圧比は、該分圧器の（第２）タップの電位を比較電位として使用する場合、比較的低い値が該比較電位に対して得られるように選定されていることが好ましい。
（形態２１）上記形態１６〜２０の構成体において、測定抵抗の電圧は、該比較電位との比較の前にローパス素子によってろ波されることが好ましい。
（形態２２）上記形態２１の構成体において、該ローパス素子は１次のローパス素子として構成されていることが好ましい。
（形態２３）上掲。
（形態２４）上記形態２３の構成体において、記憶されたリストは、伝送可能なオブジェクトの長さについての情報を含むことが好ましい。
（形態２５）上記形態２３又は２４の構成体において、記憶されたリストは、該当するオブジェクトが不揮発性記憶素子に記憶するためのものであるか、または揮発性記憶素子に記憶するためのものであるかについての情報ないし表示を含むことが好ましい。
（形態２６）上記形態２３〜２５の構成体において、記憶されたリストは、オブジェクトを記憶素子にアドレシングするための情報ないし表示を含むことが好ましい。
（形態２７）上記形態２３〜２６の構成体において、記憶されたリストは、マイクロプロセッサに配属されたメモリに不揮発性に、とりわけ持続的に記憶されていることが好ましい。
（形態２８）上記形態２７の構成体において、記憶されたリストはマイクロプロセッサのハードウエアの構成部であることが好ましい。
（形態２９）上記形態２３〜２８の構成体において、マイクロプロセッサは、データ線路に対するインターフェースと接続されており、オブジェクトの不揮発性記憶素子からの、および／またはこれへの伝送はマイクロプロセッサを介して行われることが好ましい。
（形態３０）上記形態２３〜２９の構成体において、データ線路はシリアルデータバスとして構成されていることが好ましい。
（形態３１）上記形態２３〜３０の構成体において、マイクロプロセッサに配属された揮発性メモリには少なくとも１つのバッファメモリがデータ線路とのデータ交換のために設けられていることが好ましい。
（形態３２）上記形態２３〜３１の構成体において、不揮発性記憶素子は線路を介してマイクロプロセッサと接続されており、該線路はマイクロプロセッサにより制御されて、不揮発性記憶素子の書き込み保護を制御することが好ましい。
（形態３３）上記形態２３〜３２の構成体において、マイクロプロセッサは、データ線路を介して供給されるアドレスを記憶するための所定の記憶素子と、アドレシングすべき装置のアドレスを記憶するための装置と、前記２つのアドレスを比較するための比較装置とを有することが好ましい。
（形態３４）上記形態２３〜３３の構成体において、マイクロプロセッサには、伝送すべきオブジェクトを表す変数を記憶するための記憶素子が配属されており、前記変数を用いて、装置に記憶されたリストから前記オブジェクトをさらに処理するため当該オブジェクトの標識が取り出し可能であることが好ましい。
（形態３５）上記形態３４の構成体において、前記標識は前記オブジェクトの長さであることが好ましい。
（形態３６）上記形態３４又は３５の構成体において、前記標識は前記オブジェクトのハードウエアアドレスであることが好ましい。
（形態３７）上記形態１〜１０、１４〜３６のモータはファンを駆動するモータであり、又は上記形態１１〜１３の方法により制御されるモータはファンを駆動するモータであることを特徴とする構成体。
（形態３８）上記形態３７の構成体において、前記ファンは機器ファンであることが好ましい。